(57)【要約】【課題】多品種の容器の形状やサイズや重量等に対応可能な胴巻き包装機を提供する。【解決手段】一対の支持ローラ１６間で容器搬送路を横断するように両支持ローラ１６に支持されたフィルム４に搬送途中の容器３９が当接し、容器３９の搬送に伴い、容器３９の側面３９ａに巻かれたフィルム４を容器３９に対する搬送方向上流側で一対のシール部材２８により加熱シールするとともに切断して胴巻きにする際に、該シール部材２８の接近離間動作と、フィルム４に対し搬送途中の容器３９が容器搬送方向の下流側に位置する際に容器３９の側面３９ａにフィルム４を巻き付け案内する支持ローラ１６の接近離間動作とを別々に行うことができる。【選択図】図４
2010280434.tif 000002
【特許請求の範囲】
【請求項１】
容器の側面を熱収縮性のフィルムで胴巻き包装する胴巻き包装機であって、
容器搬送路を横断するように張設されたフィルムより容器搬送方向の下流側で、容器搬送路を挟む横方向における容器搬送路の両側に配設されて該横方向へ互いに接近離間動作する支持ローラと、
この支持ローラより容器搬送方向の下流側で、容器搬送路を挟む横方向における容器搬送路の両側に配設されて該横方向へ互いに接近離間動作するシール部材とを備え、
該シール部材の接近離間動作と、フィルムに対し搬送途中の容器が容器搬送方向の下流側に位置する際に、容器の側面にフィルムを巻き付け案内する支持ローラの接近離間動作とを別々に行うことができる
ことを特徴とする胴巻き包装機。
【請求項２】
前記一対の支持ローラが容器の側面にフィルムを巻き付け案内する動作位置を任意に設定変更可能であることを特徴とする請求項１に記載の胴巻き包装機。
【請求項３】
前記一対の支持ローラが互いに接近動作する前の支持ローラの待機位置を任意に設定変更可能であることを特徴とする請求項１または請求項２に記載の胴巻き包装機。
【請求項４】
前記一対の支持ローラが互いに最も接近した後で、前記一対のシール部材が接近してフィルムを挟んでシールすることを特徴とする請求項１〜３のうちいずれか一つに記載の胴巻き包装機。
【請求項５】
前記一対の支持ローラが互いに接近動作する前に、前記一対のシール部材が接近動作を開始することを特徴とする請求項１〜４のうちいずれか一つに記載の胴巻き包装機。
【請求項６】
前記一対の支持ローラ及び一対のシール部材は、別々のサーボモータによって、夫々、接近離間動作することを特徴とする請求項１〜５のうちいずれか一つに記載の胴巻き包装機。
【発明の詳細な説明】
【技術分野】
【０００１】
本発明は、容器の側面を熱収縮性のフィルムで胴巻き包装する胴巻き包装機に関する。
【背景技術】
【０００２】
コンビニエンスストア等で販売される弁当容器等の蓋付き容器においてその側面に生じる容器本体と蓋との合わせ目から異物が混入することを防止するために、容器の全体をフィルムで包装すると、フィルムの使用量が多くなる。そのため、ごみ等の環境問題や包装コストの観点から、フィルムの使用量を少なくする簡易包装が求められる。そこで、特許文献１に開示された胴巻き包装機等を利用した胴巻き包装が行われている。この胴巻き包装では、帯状の熱収縮性フィルムを横方向両側の支持ローラ間で容器搬送路を横断するように支持し、そのフィルムを容器の搬送に伴い容器の側面全体に巻いて横方向両側の両シール部材により加熱シールするとともに切断して胴巻きする。その後、その胴巻きフィルムを容器の上面に折り畳むと共に加熱処理により容器に密着させて包装していた。このような胴巻き包装でもフィルムの使用量が多くなるため、容器の側面で容器本体と蓋との合わせ目にのみ帯状の熱収縮性フィルムを巻いてその合わせ目を封止し、フィルムの使用量を少なくする簡易包装について検討している。
【先行技術文献】
【特許文献】
【０００３】
【特許文献１】実公平６−９９２４号公報
【発明の概要】
【発明が解決しようとする課題】
【０００４】
品種によって容器の形状やサイズや重量等が異なるため、多品種の容器の形状やサイズや重量等に対応可能な胴巻き包装機の提供が求められる。
本発明は、胴巻き包装するにあたって多品種の容器の形状やサイズや重量等に対応可能な胴巻き包装機を提供することを目的とする。
【課題を解決するための手段】
【０００５】
請求項１の発明にかかる胴巻き包装機は、容器３９の側面３９ａを熱収縮性のフィルム４で胴巻き包装するものであって、容器搬送路１ａを横断するように張設されたフィルム４より容器搬送方向の下流側で容器搬送路１ａを挟む横方向における容器搬送路１ａの両側に配設されて該横方向へ互いに接近離間動作する支持ローラ１６と、この支持ローラ１６より容器搬送方向の下流側で容器搬送路１ａを挟む横方向における容器搬送路１ａの両側に配設されて該横方向へ互いに接近離間動作するシール部材２８とを備え、該シール部材２８の接近離間動作と、フィルム４に対し搬送途中の容器３９が容器搬送方向の下流側に位置する際に容器３９の側面３９ａにフィルム４を巻き付け案内する支持ローラ１６の接近離間動作とを別々に行うことができる。
【０００６】
請求項１の発明を前提とする請求項２の発明においては、前記一対の支持ローラ１６が容器３９の側面３９ａにフィルム４を巻き付け案内する動作位置を任意に設定変更可能である。
【０００７】
請求項１または請求項２の発明を前提とする請求項３の発明においては、前記一対の支持ローラ１６が互いに接近動作する前の支持ローラ１６の待機位置を任意に設定変更可能である。
【０００８】
請求項１〜３のうちいずれか一つの発明を前提とする請求項４の発明においては、前記一対の支持ローラ１６が互いに最も接近した後で、前記一対のシール部材２８が接近してフィルム４を挟んでシールする。
【０００９】
請求項１〜４のうちいずれか一つの発明を前提とする請求項５の発明においては、前記一対の支持ローラ１６が互いに接近動作する前に、前記一対のシール部材２８が接近動作を開始する。
【００１０】
請求項１〜５のうちいずれか一つの発明を前提とする請求項６の発明において、前記一対の支持ローラ１６及び一対のシール部材２８は、別々のサーボモータ１０，３３によって、夫々、接近離間動作する。
【発明の効果】
【００１１】
請求項１の発明では、容器の形状やサイズや重量など容器の種類が異なっても、各種容器に応じて、一対の支持ローラの接近離間動作と一対のシール部材の接近離間動作を別々に行うことによって、各種の容器の側面を熱収縮性のフィルムで適切に胴巻き包装することができる。このため、フィルムの使用量を必要最小限に抑えることできる。また、容器の側面の全域にフィルムを巻く場合であっても、接近離間動作を別々に行うことによって、容器の形状やサイズや重量など容器の種類が異なっても、各種容器にフィルムをだぶつきなく巻き付けることができる。従って、例えば、容器における容器本体と蓋との合わせ目付近の高さ位置だけ部分的に容器の側面にフィルムを巻いても、接近離間動作を別々に行うことによって、容器の種類が異なっても、容器からフィルムが落ちなくなり、胴巻き包装することができる。
【００１２】
請求項２の発明では、一対の支持ローラが各種容器の側面にフィルムを巻き付け案内する動作位置（両支持ローラの瞬間的な位置）を各種容器に応じて設定変更することができるため、一対の支持ローラを接近離間動作させるタイミングや動作速度等を任意に設定変更し、フィルムの使用量を必要最小限に抑えたり、各種容器にフィルムをだぶつきなく巻き付けることができる。
【００１３】
請求項３の発明では、支持ローラの待機位置が任意に設定変更可能であることから、例えば、横幅が異なる容器毎に支持ローラの待機位置を、容器が通過可能な最小離間距離に設定することで、一対の支持ローラが互いに接近離間動作する距離を小さくすることができ、包装の高速化を図ることができ、また、支持ローラの待機位置を容器の通過タイミングに合わせて設定することで、フィルムを適切なタイミングで支持して各種容器に対するフィルムのだぶつきを少なくすることができる。
【００１４】
請求項４の発明では、一対の支持ローラが互いに最も接近した後で、一対のシール部材が接近してフィルムを挟んでシールすることから、例えば、特に、軽い容器や外周面に丸みを有している容器など、容器搬送路での位置ずれが生じ易い容器、或いは、倒れ易い容器であっても、フィルムが容器の側面に巻き付けられた後にシール部材がフィルムに接触することになるので、容器の略全周に巻締め状態となったフィルムとの位置ずれが起こり難く、或いは、容器を倒すことなくシールすることができる。
【００１５】
請求項５の発明では、一対の支持ローラが接近動作する前に、一対のシール部材が接近動作を開始することによって、一対のシール部材の移動速度を遅くすることができる。このため、例えば、軽い容器等を包装する際に、両シール部材が互いに接近してフィルムにゆっくり触れるようにすれば、容器の位置ずれが起こり難く、或いは、容器を倒すことなくシールすることができる。
【００１６】
請求項６の発明では、一対の支持ローラ及び一対のシール部材を別々のサーボモータで接近離間動作させるので、異なる容器の動作設定を簡単に行うことができる。
【図面の簡単な説明】
【００１７】
【図１】胴巻き包装機の一部を概略的に示す平面図である。
【図２】胴巻き包装機のフィルム支持機構を概略的に示す正面図である。
【図３】胴巻き包装機のシール機構を概略的に示す正面図である。
【図４】（ａ）（ｂ）（ｃ）は夫々フィルム支持機構及びシール機構の作用を示す平面図であり、（ｄ）は包装された蓋付き容器を示す一部切欠き正面図である。
【発明を実施するための形態】
【００１８】
本実施形態の胴巻き包装機は、様々な形状やサイズや重量等を有する多品種の容器に対応可能なものである。
図１に示すように、コンべヤ１は、供給コンべヤ１Ａと排出コンべヤ１Ｂとによって容器搬送路１ａが構成されており、その容器搬送路１ａ上に載置された容器３９が容器搬送方向（前後方向）に沿う矢印の向きに搬送される。
【００１９】
供給コンべヤ１Ａと排出コンべヤ１Ｂとの境界付近には、フィルム支持機構２と、そのフィルム支持機構２より容器搬送方向の下流側でフィルム支持機構２に近接するようにシール機構３が配設されていて、フィルム支持機構２より容器搬送方向の上流側で、容器搬送路１ａを搬送される容器３９を検知する容器検知センサ３８が配設されている。
【００２０】
供給コンべヤ１Ａの搬送路１ａの下流端と排出コンべヤ１Ｂの搬送路１ａの上流端とは、後述するシール機構３のシール部材２８が互いに接近する時に、シール部材２８の接近離間動作に合わせて容器搬送方向に沿って互いに離間するように構成されている。
【００２１】
供給コンべヤ１Ａの搬送路１ａを挟む左右方向（前後方向に対し直交する横方向）の両側には、帯状の熱収縮性のフィルム４をフィルム支持機構２に供給するフィルム案内機構５が配設されている。
【００２２】
排出コンべヤ１Ｂの容器搬送方向の下流側には、図示しないシュリンクトンネルが設置され、熱収縮性のフィルム４により胴巻き包装された容器３９を通過させて、図４（ｄ）に示すように容器３９の側面３９ａにおける容器本体４０と蓋４１との合わせ目４２が密着して封止されるように構成されている。
【００２３】
次に、図２に基づきフィルム支持機構２について説明する。
容器搬送路１ａより下方位置で、容器搬送方向に対し交差する横方向に延出するように台６が、図示しない本体枠に支持されている。台６上の横方向両側に立設された支持板７間に一対の案内棒８が上下平行に横方向へ架設されている。また、両支持板７間には両案内捧８と平行に雄螺旋棒９が回転可能に横方向へ支持されており、その雄螺旋棒９は図１に示すサーボモータ１０の回転を受けて回転する。雄螺旋棒９には、コンべヤ１の搬送路１ａを挟む横方向における一側に左螺施９ａが形成され、他方に右螺旋９ｂが形成されている。左螺施９ａと右螺旋９ｂとは夫々、雌螺旋筒１２と螺合している。雌螺旋筒１２は、案内棒８に嵌挿された案内筒１３と共に、可動板１４に各々取着されている。このため、可動板１４は、容器搬送路１ａの左右両側で、雄螺旋棒９及び案内棒８に支持され、雄螺旋棒９が回転することで、容器搬送路１ａの容器搬送中心に対し互いに接近すると共に、サーボモータ１０の回転に応じて離間し、動作開始位置としての元の位置に復帰する。
【００２４】
可動板１４の一部である台板１４ａには、昇降台１５が上下方向に移動可能に支持され、その昇降台１５には、容器搬送路１ａから横方向に順番に、支持ローラ１６と案内ローラ１７，１８とが上下（鉛直）方向へ延びるように設置されている。昇降台１５を上下方向に移動させることにより、支持ローラ１６及び案内ローラ１７，１８の高さ調節が可能であって、例えば、図４（ｄ）に示す容器３９の容器本体４０と蓋４１とが接合する箇所だけ容器３９の側面３９ａが包装されるように、容器３９に対し支持ローラ１６及び案内ローラ１７，１８の高さ調節が可能とされている。
【００２５】
次に、図１に示すフィルム案内機構５は、フィルム供給源１９と案内ローラ２０ａと繰出しローラ２０ｂとゴムローラ２０ｃとテンションローラ２０ｄとを備えている。繰出しローラ２０ｂは、モータ（不図示）の駆動を受けて回転することによって、フィルム供給源１９からフィルム４を引き出す。そのモータの回転が停止すると、フィルム供給源１９にはブレーキが掛けられるように構成されている。引き出されたフィルム４は、各ローラ２０ａ，２０ｂ，２０ｃ，２０ｄによりジグザグ状に巻掛けられた後、フィルム支持機構２の案内ローラ１８に掛け渡されている。
【００２６】
フィルム案内機構５の各ローラ２０ａ，２０ｂ，２０ｃ，２０ｄ及びフィルム供給源１９は上下方向に移動可能に支持されており、フィルム案内機構５の各ローラ２０ａ，２０ｂ，２０ｃ，２０ｄ及びフィルム支持機構２の各ローラ１６，１７，１８は、夫々、容器搬送路１ａから上方に所定距離だけ離れた同じ高さ位置でフィルム４を支持するように高さ位置が調節されている。また、フィルム４の脱落を防ぐために各ローラ２０ａ，２０ｂ，２０ｃ，２０ｄ，１６，１７，１８の下端が鍔状に形成されている。テンションローラ２０ｄは、後述する支持ローラ１６が搬送途中の容器３９の側面３９ａにフィルム４を巻き付け案内するタイミングで、不図示の駆動手段によって横方向の案内ローラ２０ａ側に移動して、フィルム４の張りを、容器３９がフィルム４に当接する直前のフィルム展張状態より比較的に弛い状態に調整できるように横方向に往復移動する。
【００２７】
次に、図３に基づきシール機構３について説明する。
台６上の横方向両側には、支持板２１と支柱２３とが上下方向に立設するように配設されており、両支持板２１間に一対の案内棒２２が平行に横方向へ架設され、両支柱２３の間に案内棒２４が各案内棒２２に対し平行に架設されている。案内棒２２，２４には、一対の可動体２６が案内捧２２，２４に沿って横方向にスライド可能に支持されている。可動体２６には、夫々、シール部材２８が対向するように配設されており、その反対側にはリンク３２が揺動可能に支持されている。両可動体２６及び両シール部材２８が容器搬送路１ａの中央を中心に対称に接近離間動作するように、サーボモータ３３の回転が、支柱２３に回動可能に支持されたレバー２９ａ，２９ｂ，３１と、連動リンク３５と、リンク３０と、リンク３２とを介して、各可動体２６に伝達されるように構成されている。
【００２８】
シール部材２８の側面には、図４に示すように、シール部材２８とフィルム４との接触を防ぐために、接触防止板３７が設置されており、一方のシール部材２８内には他方のシール部材２８内に対し進退するナイフ３６が内蔵されている。
【００２９】
次に、容器搬送路１ａを横断するように張設されたフィルム４に容器３９が当接して支持ローラ１６に巻き込み案内される際の各動作タイミングについて説明する。
張設されたフィルム４に対し、搬送途中の容器３９が容器搬送方向の上流側に位置する時に、容器検知センサ３８によって容器３９が検知されると、不図示の駆動制御手段が、コンベヤ１の搬送速度に基づき、フィルム４に容器３９が当接するタイミングとの関係から、繰出しローラ２０ｂのモータ（不図示）とテンションローラ２０ｄの駆動手段（不図示）の各動作タイミングを求める。
【００３０】
不図示の駆動制御手段には、両支持ローラ１６を接近離間動作させるサーボモータ１０と両シール部材２８を接近離間動作させるサーボモータ３３の各動作タイミング（動作開始タイミング、動作停止タイミン）や各動作速度や動作開始位置等が予め設定されており、容器検知センサ３８による容器３９の検知により、サーボモータ１０とサーボモータ３３とが各々駆動制御される。これらの設定は、容器搬送速度や容器３９のサイズ等に応じて、オペレ一夕により変更可能である。
【００３１】
搬送途中の容器３９がフィルム４に当接する前（図４（ａ）参照）においては、一対の支持ローラ１６が互いに最も離間する待機位置で停止しており、その両支持ローラ１６に対し容器搬送方向の下流側で近接するシール部材２８が支持ローラ１６よりも更に離間する待機位置で停止している。
【００３２】
一対の支持ローラ１６の待機位置は、両支持ローラ１６が離間する距離が容器３９の横幅Ｓ（容器搬送方向に対し交差する横方向の容器３９の長さ）よりも若干大きくなる位置に設定されている。この待機位置は、サーボモータ１０により設定変更可能であり、また、昇降台１５に対する支持ローラ１６の設置位置の変更でも設定可能である。
【００３３】
搬送途中の容器３９が、フィルム４に当接してから、フィルム支持機構２より若干、容器搬送方向の下流側に位置すると、一対の支持ローラ１６が互いに接近する（図４（ｂ）参照）。
【００３４】
図４（ａ）と図４（ｂ）との間の状態では、一対の支持ローラ１６が互いに接近動作する前に、一対のシール部材２８が互いにゆっくりとした接近動作を開始しているが、図４（ｂ）のごとく、一対の支持ローラ１６が早く互いに最接近するように設定されている。両支持ローラ１６間の最接近距離は常に一定に設定されている。
【００３５】
容器３９がフィルム４に当接してから、一対の支持ローラ１６が接近動作する間、繰出しローラ２０ｂのモータ（不図示）とテンションローラ２０ｄの駆動手段（不図示）の各動作により、フィルム４の張りは、容器３９がフィルム４に当接する直前のフィルム展張状態より比較的に弛い状態になっており、この状態で、一対の支持ローラ１６は、容器３９の横幅Ｓより狭い位置まで互いに接近して、フィルム４に対して容器３９が容器搬送方向の下流側に前進する際に、容器３９の側面３９ａ（容器本体４０と蓋４１との合わせ目４２部分）にフィルム４を巻き付け案内する。
【００３６】
この状態で更に容器３９が容器搬送方向の下流側に前進すると、一対のシール部材２８が互いに接近してフィルム４を挟んで加熱シールし、フィルム４を切断して容器３９を胴巻きにする（図４（ｃ）参照）。この時、繰出しローラ２０ｂによるフィルム４の引出しが停止される。
【００３７】
その後、一対のシール部材２８が互いに離間してフィルム４を解放した後、両支持ローラ１６と両シール部材２８とは、夫々、待機位置に向けて離間する。この時、テンションローラ２０ｄが元の位置に復帰し、再度、フィルム４が展開状態で張設される。
【００３８】
本実施形態は下記の効果を有する。
＊  一対の支持ローラ１６を接近離間動作させるサーボモータ１０と一対のシール部材２８を接近離間動作させるサーボモータ３３の動作制御について、夫々、接近離間動作させるタイミング（待機位置から動作するタイミング）や各動作速度や待機位置等が予め設定可能であるため、例えば、容器３９における容器本体４０と蓋４１との合わせ目４２付近の高さ位置だけ部分的に容器３９の側面３９ａにフィルム４を巻いても、接近離間動作を別々に行うことによって、容器３９の種類が異なっても、容器３９の側面３９ａに巻き付けられるフィルム４がずれることなく、胴巻き包装することができる。
【００３９】
＊  一対の支持ローラ１６の待機位置は、容器３９の横幅Ｓ（容器搬送方向に対し交差する横方向の容器３９の長さ）よりも両支持ローラ１６が離間する距離が若干大きくなる位置に設定されていることが好ましい。この待機位置は、サーボモータ１０の動作制御によって設定変更可能であり、また、昇降台１５の接近離間方向に向けた支持ローラ１６の設置位置の変更によっても対応し得る。
【００４０】
＊  一対の支持ローラ１６が接近動作する前に、一対のシール部材２８が接近動作を開始することによって、両シール部材２８の移動速度を遅くすることができる。このため、例えば、軽い容器３９等を包装する際に、両シール部材２８が互いに接近してフィルム４にゆっくり触れるようにすれば、フィルム４にバックテンションがかかって容器３９が後方に引き戻される際の反動による容器３９の位置ずれが起こり難く、或いは、底面積が小さな容器３９等の不安定な形状の容器３９が倒れてしまうことなく良好にシールすることができる。
【００４１】
＊  一対の支持ローラ１６が互いに最も接近した後で、一対のシール部材２８が接近してフィルム４を挟んでシールすることから、例えば、特に、軽い容器３９や外周面に丸みを有している容器３９など、搬送路１ａでの位置ずれが生じ易い容器３９、或いは、倒れ易い容器３９であっても、フィルム４が容器３９の側面３９ａに巻き付けられた後にシール部材２８がフィルム４に接触することになるので、容器３９の略全周に巻締め状態となったフィルム４との位置ずれが起こり難く、或いは、容器３９を倒すことなくシールすることができる。
【００４２】
＊  一対の支持ローラ１６及び一対のシール部材２８を別々のサーボモータ１０，３３で接近離間動作させるので、異なる容器３９の動作設定を簡単に行うことができる。
＊  一対の支持ローラ１６間の最接近距離を一定にしたので、各種容器３９に対するフィルム４の巻き付けを適切に行ってフィルム４のだぶつきを少なくすることができると共に、各種容器３９に巻き付けるフィルム４に対するシール部材２８の接触を遅らせてフィルム４に熱による悪影響を与え難い。
【００４３】
前記実施形態以外にも例えば下記のように構成してもよい。
・  コンベヤ１の搬送路１ａの高さ位置を可変にして容器３９毎の容器本体４０と蓋４１との合わせ目４２の高さに対応してフィルム４の巻付け高さ位置を調節してもよい。
【００４４】
・  加熱シールすると共にナイフ３６により切断するシール部材２８に代えて、適切な温度に加熱した刃を使用することによりフィルムを溶かしてシールしつつ切断する溶断シールであってもよい。
【００４５】
・  支持ローラ１６の待機位置の設定変更と同様に、容器３９の種類によってシール部材２８の待機位置を、サーボモータ３３により設定変更してもよい。
・  一対の支持ローラ１６の接近離間動作と一対のシール部材２８の接近離間動作とは、単一の駆動モータで、両支持ローラ１６及び両シール部材２８を夫々別々に接近離間動作させてもよく、駆動モータとしては、サーボモータ以外にも、速度制御モータや位置制御モータその他の制御モータであればよい。
【符号の説明】
【００４６】
１…コンベヤ、１ａ…容器搬送路、４…フィルム、１０…サーボモータ、１６…支持ローラ、２８…シール部材、３３…サーボモータ、３９…容器、３９ａ…容器の側面。
【図１】
2010280434.tif 000003
【図２】
2010280434.tif 000004
【図３】
2010280434.tif 000005
【図４】
2010280434.tif 000006
【手続補正書】
【提出日】平成21年7月24日(2009.7.24)
【手続補正２】
【補正対象書類名】明細書
【補正対象項目名】００２３
【補正方法】変更
【補正の内容】
【００２３】
次に、図２に基づきフィルム支持機構２について説明する。
容器搬送路１ａより下方位置で、容器搬送方向に対し交差する横方向に延出するように台６が、図示しない本体枠に支持されている。台６上の横方向両側に立設された支持板７間に一対の案内棒８が上下平行に横方向へ架設されている。また、両支持板７間には両案内捧８と平行に雄螺旋棒９が回転可能に横方向へ支持されており、その雄螺旋棒９は図１に示すサーボモータ１０の回転を受けて回転する。雄螺旋棒９には、コンべヤ１の搬送路１ａを挟む横方向における一側に左螺旋９ａが形成され、他方に右螺旋９ｂが形成されている。左螺旋９ａと右螺旋９ｂとは夫々、雌螺旋筒１２と螺合している。雌螺旋筒１２は、案内棒８に嵌挿された案内筒１３と共に、可動板１４に各々取着されている。このため、可動板１４は、容器搬送路１ａの左右両側で、雄螺旋棒９及び案内棒８に支持され、雄螺旋棒９が回転することで、容器搬送路１ａの容器搬送中心に対し互いに接近すると共に、サーボモータ１０の回転に応じて離間し、動作開始位置としての元の位置に復帰する。
【手続補正３】
【補正対象書類名】明細書
【補正対象項目名】００３０
【補正方法】変更
【補正の内容】
【００３０】
不図示の駆動制御手段には、両支持ローラ１６を接近離間動作させるサーボモータ１０と両シール部材２８を接近離間動作させるサーボモータ３３の各動作タイミング（動作開始タイミング、動作停止タイミング）や各動作速度や動作開始位置等が予め設定されており、容器検知センサ３８による容器３９の検知により、サーボモータ１０とサーボモータ３３とが各々駆動制御される。これらの設定は、容器搬送速度や容器３９のサイズ等に応じて、オペレータにより変更可能である。